(57)【要約】【課題】  使い勝手の向上を図る。【解決手段】  蓋体４を中間体３に対して第１の方向へ第１の開放位置と第１の閉塞位置の間でスライド可能とし、蓋体と中間体を一体となってベース体２に対して第１の方向に直交する第２の方向へ第２の開放位置と第２の閉塞位置の間でスライド可能とし、第１の方向と第２の方向の少なくとも一方の方向を円弧運動が行われる方向とし、蓋体が第１の開放位置に移動されたときに第２の操作部２０を開放し、蓋体が第１の閉塞位置に移動されたときに第２の操作部を閉塞し、蓋体及び中間体が第２の開放位置に移動されたときに第１の操作部７を開放し、蓋体及び中間体が第２の閉塞位置に移動されたときに第１の操作部を閉塞するようにした。【選択図】        図３
2009003614.tif 000002
【特許請求の範囲】
【請求項１】
表示部を有する蓋体と第１の操作部を有するベース体との間に第２の操作部を有する中間体が位置されると共に蓋体が中間体に対してスライド可能とされ中間体がベース体に対してスライド可能とされたスライド機構であって、
蓋体が中間体に対して第１の方向へ第１の開放位置と第１の閉塞位置の間でスライド可能とされ、
蓋体と中間体が一体となってベース体に対して第１の方向に直交する第２の方向へ第２の開放位置と第２の閉塞位置の間でスライド可能とされ、
第１の方向と第２の方向の少なくとも一方の方向が円弧運動が行われる方向とされ、
蓋体が第１の開放位置に移動されたときに第２の操作部が開放され、
蓋体が第１の閉塞位置に移動されたときに第２の操作部が閉塞され、
蓋体及び中間体が第２の開放位置に移動されたときに第１の操作部が開放され、
蓋体及び中間体が第２の閉塞位置に移動されたときに第１の操作部が閉塞されるようにした
ことを特徴とするスライド機構。
【請求項２】
ベース体に支持ベースを設け、
蓋体にスライダーを設け、
中間体に、支持ベースに第２の方向へスライド自在に支持されると共にスライダーを第１の方向へスライド自在に支持するスライド部材を設け、
支持ベースをベース体の外周より内側に配置し、スライダーを蓋体の外周より内側に配置し、スライド部材を中間体の外周より内側に配置した
ことを特徴とする請求項１に記載のスライド機構。
【請求項３】
蓋体が第１の方向へ移動されるときに蓋体の第２の方向への移動を規制する第１の規制部を設け、
蓋体及び中間体が第２の方向へ移動されるときに蓋体及び中間体の第１の方向への移動を規制する第２の規制部を設けた
ことを特徴とする請求項１に記載のスライド機構。
【請求項４】
蓋体が第１の方向へ移動されるときに蓋体の第２の方向への移動を規制する第１の規制部を設け、
蓋体及び中間体が第２の方向へ移動されるときに蓋体及び中間体の第１の方向への移動を規制する第２の規制部を設け、
第１の規制部と第２の規制部を支持ベースに設けた
ことを特徴とする請求項２に記載のスライド機構。
【請求項５】
第１の規制部と第２の規制部をともに突状に形成しベース体に一体に設けた
ことを特徴とする請求項４に記載のスライド機構。
【請求項６】
表示部を有する蓋体と第１の操作部を有するベース体と第２の操作部を有する中間体とを備え、中間体が蓋体とベース体の間に位置されると共に蓋体が中間体に対してスライド可能とされ中間体がベース体に対してスライド可能とされた電子機器であって、
蓋体が中間体に対して第１の方向へ第１の開放位置と第１の閉塞位置の間でスライド可能とされ、
蓋体と中間体が一体となってベース体に対して第１の方向に直交する第２の方向へ第２の開放位置と第２の閉塞位置の間でスライド可能とされ、
第１の方向と第２の方向の少なくとも一方の方向が円弧運動が行われる方向とされ、
蓋体が第１の開放位置に移動されたときに第２の操作部が開放され、
蓋体が第１の閉塞位置に移動されたときに第２の操作部が閉塞され、
蓋体及び中間体が第２の開放位置に移動されたときに第１の操作部が開放され、
蓋体及び中間体が第２の閉塞位置に移動されたときに第１の操作部が閉塞されるようにした
ことを特徴とする電子機器。
【発明の詳細な説明】
【技術分野】
【０００１】
本発明はスライド機構及び電子機器についての技術分野に関する。詳しくは、蓋体が移動される少なくとも一方の方向が円弧運動が行われる方向として使い勝手の向上を図る技術分野に関する。
【背景技術】
【０００２】
携帯情報端末や携帯電話等の各種の電子機器には、所定の機能を実行するための操作を行う操作部と該操作部に対する操作状態や画像が表示される表示部を有するものがある。
【０００３】
このような電子機器には、第１の操作部を有するベース体と第２の操作部を有する中間体と表示部を有する蓋体とを有し、中間体が蓋体とベース体の間に配置され、蓋体が中間体に対して第１の方向へ移動されたときに第２の操作部が開放されて該第２の操作部に対する操作が可能とされ、蓋体及び中間体が一体となってベース体に対して第２の方向へ移動されたときに第１の操作部が開放されて該第１の操作部に対する操作が可能とされたものがある（例えば、特許文献１参照）。
【０００４】
従って、使用者においては、用途に応じて第１の操作部又は第２の操作部に対して各別に操作を行うことが可能となり、用途の幅が広がると言う利点を有する。
【０００５】
【特許文献１】米国特許出願公開第２００５／０２４５２５１号明細書
【発明の開示】
【発明が解決しようとする課題】
【０００６】
ところが、上記した従来の電子機器にあっては、蓋体及び中間体がベース体に対して移動する第２の方向と蓋体が中間体に対して移動する第１の方向とが２次元平面において直交する方向であるため、第１の操作部が開放された状態における表示部の向きと第１の操作部の向きが同一であり、また、第２の操作部が開放された状態における表示部の向きと第２の操作部の向きとが同一とされる。
【０００７】
従って、使用者においては、操作部の操作キーに対する操作方向（押圧方向）と表示部を視認する方向とが同一の向きとされ、例えば、パーソナルコンピューターのように表示部を操作部に対して傾斜させた状態で使用することができず、また、電話機のように表示部と操作部が一定の角度で傾斜するような状態で電子機器を使用することができず、使い勝手が悪いと言う問題がある。
【０００８】
そこで、本発明スライド機構及び電子機器は、上記した問題点を克服し、使い勝手の向上を図ることを課題とする。
【課題を解決するための手段】
【０００９】
本発明スライド機構及び電子機器は、上記した課題を解決するために、蓋体を中間体に対して第１の方向へ第１の開放位置と第１の閉塞位置の間でスライド可能とし、蓋体と中間体を一体となってベース体に対して第１の方向に直交する第２の方向へ第２の開放位置と第２の閉塞位置の間でスライド可能とし、第１の方向と第２の方向の少なくとも一方の方向を円弧運動が行われる方向とし、蓋体が第１の開放位置に移動されたときに第２の操作部を開放し、蓋体が第１の閉塞位置に移動されたときに第２の操作部を閉塞し、蓋体及び中間体が第２の開放位置に移動されたときに第１の操作部を開放し、蓋体及び中間体が第２の閉塞位置に移動されたときに第１の操作部を閉塞するようにしたものである。
【００１０】
従って、本発明スライド機構及び電子機器にあっては、蓋体が第１の開放位置又は第２の開放位置の少なくとも一方の位置に移動されたときに、中間体又はベース体に対して蓋体が傾斜した状態とされる。
【発明の効果】
【００１１】
本発明スライド機構は、表示部を有する蓋体と第１の操作部を有するベース体との間に第２の操作部を有する中間体が位置されると共に蓋体が中間体に対してスライド可能とされ中間体がベース体に対してスライド可能とされたスライド機構であって、蓋体が中間体に対して第１の方向へ第１の開放位置と第１の閉塞位置の間でスライド可能とされ、蓋体と中間体が一体となってベース体に対して第１の方向に直交する第２の方向へ第２の開放位置と第２の閉塞位置の間でスライド可能とされ、第１の方向と第２の方向の少なくとも一方の方向が円弧運動が行われる方向とされ、蓋体が第１の開放位置に移動されたときに第２の操作部が開放され、蓋体が第１の閉塞位置に移動されたときに第２の操作部が閉塞され、蓋体及び中間体が第２の開放位置に移動されたときに第１の操作部が開放され、蓋体及び中間体が第２の閉塞位置に移動されたときに第１の操作部が閉塞されるようにしたことを特徴とする。
【００１２】
従って、蓋体がベース体に対して円弧方向へスライドされた状態において、蓋体の表示部が第１の操作部又は第２の操作部に対して所定の角度傾斜した状態にできるため、第１の操作部又は第２の操作部に対する操作時に表示部が視認し易く、使い勝手の向上を図ることができる。
【００１３】
請求項２に記載した発明にあっては、ベース体に支持ベースを設け、蓋体にスライダーを設け、中間体に、支持ベースに第２の方向へスライド自在に支持されると共にスライダーを第１の方向へスライド自在に支持するスライド部材を設け、支持ベースをベース体の外周より内側に配置し、スライダーを蓋体の外周より内側に配置し、スライド部材を中間体の外周より内側に配置したので、スライド機構が外部に露出されずスライド機構に傷付きや損傷が生じず蓋体及び中間体のスライド動作の円滑化を図ることができる。
【００１４】
請求項３に記載した発明にあっては、蓋体が第１の方向へ移動されるときに蓋体の第２の方向への移動を規制する第１の規制部を設け、蓋体及び中間体が第２の方向へ移動されるときに蓋体及び中間体の第１の方向への移動を規制する第２の規制部を設けたので、蓋体及び中間体の意図しない方向への移動を防止することができる。
【００１５】
請求項４に記載した発明にあっては、蓋体が第１の方向へ移動されるときに蓋体の第２の方向への移動を規制する第１の規制部を設け、蓋体及び中間体が第２の方向へ移動されるときに蓋体及び中間体の第１の方向への移動を規制する第２の規制部を設け、第１の規制部と第２の規制部を支持ベースに設けたので、機構の簡素化を図ることができる。
【００１６】
請求項５に記載した発明にあっては、第１の規制部と第２の規制部をともに突状に形成しベース体に一体に設けたので、部品点数の削減による製造コストの低減を図ることができる。
【００１７】
本発明電子機器は、表示部を有する蓋体と第１の操作部を有するベース体と第２の操作部を有する中間体とを備え、中間体が蓋体とベース体の間に位置されると共に蓋体が中間体に対してスライド可能とされ中間体がベース体に対してスライド可能とされた電子機器であって、蓋体が中間体に対して第１の方向へ第１の開放位置と第１の閉塞位置の間でスライド可能とされ、蓋体と中間体が一体となってベース体に対して第１の方向に直交する第２の方向へ第２の開放位置と第２の閉塞位置の間でスライド可能とされ、第１の方向と第２の方向の少なくとも一方の方向が円弧運動が行われる方向とされ、蓋体が第１の開放位置に移動されたときに第２の操作部が開放され、蓋体が第１の閉塞位置に移動されたときに第２の操作部が閉塞され、蓋体及び中間体が第２の開放位置に移動されたときに第１の操作部が開放され、蓋体及び中間体が第２の閉塞位置に移動されたときに第１の操作部が閉塞されるようにしたことを特徴とする。
【００１８】
従って、蓋体がベース体に対して円弧方向へスライドされた状態において、蓋体の表示部が第１の操作部又は第２の操作部に対して所定の角度傾斜した状態にできるため、第１の操作部又は第２の操作部に対する操作時に表示部が視認し易く、使い勝手の向上を図ることができる。
【発明を実施するための最良の形態】
【００１９】
以下に、本発明スライド機構及び電子機器を実施するための最良の形態を添付図面に従って説明する。
【００２０】
以下に示した最良の形態は、本発明電子機器を携帯情報端末に適用したものであり、本発明スライド機構をこの携帯情報端末に設けられたスライド機構に適用したものである。尚、本発明の適用範囲は携帯情報端末及びこれに設けられたスライド機構に限られることはなく、表示部と操作部を有する各種の電子機器及びこれに設けられたスライド機構、例えば、携帯電話、パーソナルコンピューター、ＰＤＡ（Personal Digital Assistant）、ネットワーク端末、ワークステーション、音楽プレーヤー、記録再生装置、撮像装置等の各種の電子機器及びこれに設けられたスライド機構に広く適用することができる。
【００２１】
以下に示す電子機器（携帯情報端末）は、蓋体、中間体、ベース体が順に積層状に配置され蓋体及び中間体が一体となってベース体に対してスライド可能な構成とされており、以下の説明にあっては、蓋体が位置する側を上側、ベース体が位置する側を下側、蓋体及び中間体がベース体に対して移動される方向を左右方向として前後上下左右の方向を示すものとする。
【００２２】
尚、以下に示す前後上下左右の方向は説明の便宜上のものであり、本発明の実施に関しては、これらの方向に限定されることはない。
【００２３】
電子機器（携帯情報端末）１はベース体２と中間体３と蓋体４が積層状に配置され（図１乃至図３参照）、蓋体４が上側に位置され、ベース体２が下側に位置され、中間体３がベース体２と蓋体４の間に位置された構成とされている。
【００２４】
ベース体２は本体５と該本体５の上面に取り付けられた支持ベース６とを有している。（図２及び図３参照）
本体５は扁平な横長の形状に形成され、上面５ａが下方へ凸の緩やかな曲面状に形成されている。本体５の上面５ａにおける後半部には浅い配置凹部５ｂが形成されている。
【００２５】
本体５には、上面５ａの略前半部に第１の操作部７が設けられ、該第１の操作部７は複数の操作キー７ａ、７ａ、・・・によって構成されている。操作キー７ａ、７ａ、・・・は、例えば、パーソナルコンピューターのキーボードに設けられる操作キーと同様の配置にされている。
【００２６】
支持ベース６はベース部材８と該ベース部材８に取り付けられたガイド部材９、９とから成る。支持ベース６は配置凹部５ｂに配置された状態で本体５に取り付けられている。
【００２７】
ベース部材８は、横長の矩形状に形成された基部１０と、該基部１０の左側縁から上方へ突出された突状部１１と、基部１０の右側縁から上方へ突出された案内突部１２とを有している。基部１０は本体５の上面５ａに対応した緩やかな曲面状に形成され、上面１０ａが本体５の上面５ａと同一面状に位置されている。突状部１１は後端部１１ａが基部１０から後方へ突出され、後端部１１ａに上方へ突出された規制部１３が設けられている。
【００２８】
ガイド部材９、９はそれぞれベース部材８の基部１０の上面１０ａにおける左右両端部に取り付けられている。ガイド部材９は被取付面部９ａと該被取付面部９ａの外側の側縁から上方へ突出された側面部９ｂと該側面部９ｂから被取付面部９ａの上側に位置する方向へ突出された押さえ面部９ｃとから成る。ガイド部材９、９はベース部材８の基部１０の曲率に対応して緩やかに屈曲された形状に形成されている。ガイド部材９、９は被取付面部９ａ、９ａがそれぞれベース部材８の基部１０に取り付けられ、それぞれ突状部１１又は案内突部１２の内側に近接又は接した状態で位置される。
【００２９】
中間体３はスライド部材１４と連結板１５と操作板１６によって構成されている。
【００３０】
スライド部材１４はベース体２の上面５ａに対応した下方へ凸の緩やかな曲面状に形成され、左右両端部に被ガイド部１４ａ、１４ａを有し、前後両端部にガイド部１４ｂ、１４ｂを有している。右側の被ガイド部１４ａの前端部及び後端部は、それぞれガイド部１４ｂ、１４ｂより前方又は後方へ突出され、ストッパー突部１４ｃ、１４ｃとして設けられている。
【００３１】
スライド部材１４は被ガイド部１４ａ、１４ａがそれぞれ支持ベース６のガイド部材９、９に摺動自在に係合され、支持ベース６に円弧方向へ摺動自在に支持されている。
【００３２】
連結板１５は被取付板部１７と取付板部１８と被案内突部１９が一体に形成されて成る。
【００３３】
被取付板部１７はスライド部材１４に対応して下方へ凸の緩やかな曲面状に形成されている。
【００３４】
取付板部１８も下方へ凸の緩やかな曲面状に形成され、被取付板部１７の右方に位置されている。
【００３５】
被案内突部１９は被取付板部１７と取付板部１８の間に位置され、両者を連結した状態で位置されている。被案内突部１９は断面形状が下方に開口されたコ字状に形成され、被取付板部１７と取付板部１８の後端側の部分を連結している。従って、連結板１５には被案内突部１９の前側に前方へ開口されたスリットが形成され、このスリットが挿入用スリット１５ａとされている。
【００３６】
操作板１６は上面１６ａが平面状に形成され、上面１６ａには第２の操作部２０が形成されている。第２の操作部２０は複数の操作キー２０ａ、２０ａ、・・によって構成され、該操作キー２０ａ、２０ａ、・・・は、例えば、携帯電話の操作部に設けられる操作キーと同様の配置にされている。操作板１６の前後両端部にはそれぞれ左方へ突出された移動規制突部１６ｂ、１６ｂが設けられている。
【００３７】
中間体３は、スライド部材１４の右端部に上側から連結板１５の被取付板部１７が取り付けられ、連結板１５の取付板部１８に上側から操作板１６が取り付けられることにより構成される。
【００３８】
中間体３は、上記したように、スライド部材１４の被ガイド部１４ａ、１４ａがそれぞれ支持ベース６のガイド部材９、９に摺動自在に係合されることにより、ベース体２に本体５の上面５ａに沿う円弧方向へスライド自在に支持される。
【００３９】
中間体３がベース体２に支持された状態においては、ベース体２のベース部材８における案内突部１２が中間体３の連結板１５における挿入用スリット１５ａ又は被案内突部１９に下側から挿入される。
【００４０】
蓋体４は蓋本体２１とスライダー２２とによって構成されている。
【００４１】
蓋本体２１は平板状に形成され、上方から見た形状及び大きさが、ベース体２の本体５の上方から見た形状及び大きさと同じにされている。蓋本体２１の外周部を除く部分には画像等が表示される表示部２１ａが設けられている。
【００４２】
スライダー２２は略矩形の略平板状に形成され、右側縁に下方へ折り曲げられて形成された被規制片２２ａを有している。スライダー２２には前縁と後縁の略右半部にそれぞれ下方へ折り曲げられて形成された被ガイド片２２ｂ、２２ｂが設けられている。
【００４３】
蓋体４は、スライダー２２が蓋本体２１の下面に取り付けられることにより構成される。
【００４４】
蓋体４は、スライダー２２の被ガイド片２２ｂ、２２ｂがそれぞれ中間体３のスライド部材１４におけるガイド部１４ｂ、１４ｂに摺動自在に係合され、中間体３に左右方向へスライド自在に支持される。この蓋体４の中間体３に対する移動方向である左右方向は第１の方向とされ、蓋体４は中間体３に対して第１の方向における右方側の移動端である第１の閉塞位置（図１参照）と左方側の移動端である第１の開放位置（図４参照）との間で移動可能とされる。
【００４５】
蓋体４は、中間体３が上記した円弧方向へベース体２に対してスライドされるときに、中間体３と一体となってベース体２に対して円弧方向へ移動される。この中間体３及び蓋体４のベース体２に対する移動方向である円弧方向は第２の方向とされ、中間体３及び蓋体４はベース体２に対して第２の方向における前方側の移動端である第２の閉塞位置（図１参照）と後方側の移動端である第２の開放位置（図５参照）との間で移動可能とされる。第２の閉塞位置は第１の閉塞位置と同じ位置である（図１参照）。
【００４６】
以下に、電子機器１のスライド動作について説明する（図６乃至図１４参照）。
【００４７】
先ず、蓋体４の第１の方向における動作について説明する（図６乃至図８参照）。
【００４８】
蓋体４が第１の閉塞位置にある状態においては、図６に示すように、蓋体４によって中間体３の第２の操作部２０が閉塞されると共に蓋体４及び中間体３によってベース体２の第１の操作部７が閉塞されている。第１の閉塞位置においては、蓋体４は図示しない第１のトグルバネによって右方へ付勢され、蓋体４におけるスライダー２２の被ガイド片２２ｂ、２２ｂがそれぞれ中間体３におけるスライド部材１４のストッパー突部１４ｃ、１４ｃに左方から押し付けられている。
【００４９】
第１の閉塞位置においては、スライダー２２はベース体２における支持ベース６の突状部１１の右方に位置され、スライダー２２の左側面が突状部１１の直ぐ右側に位置されている。
【００５０】
蓋体４が左方へ押圧されると、蓋体４はスライダー２２の被ガイド片２２ｂ、２２ｂがそれぞれスライド部材１４のガイド部１４ｂ、１４ｂに案内されて中間体３に対して左方へ移動されていく。このとき蓋体４は、図７に示すように、スライダー２２が突状部１１に設けられた規制部１３の前側を通り左方へ移動されていく。従って、蓋体４に後方（第２の方向）へ移動される方向への外力が付与されたとしても、スライダー２２の後方への移動が規制部１３によって規制され、蓋体４の第１の方向への移動時に、蓋体４の意図しない方向（第２の方向）への移動を防止することができる。このように規制部１３は蓋体４の第１の方向への移動時に第２の方向への移動を規制する第１の規制部として機能する。
【００５１】
蓋体４が所定の位置まで移動されると、第１のトグルバネの付勢方向が変換され、蓋体４が第１のトグルバネによって左方へ付勢される。
【００５２】
左方へ付勢された蓋体４は、図８に示すように、後側の被ガイド片２２ｂがベース体２における支持ベース６の突状部１１に右方から押し付けられ、蓋体４の左方への移動が停止されて第１の開放位置に至る。蓋体４が第１の開放位置に至ることにより、第２の操作部２０が開放され、該第２の操作部２０に対する操作が可能とされる。第２の操作部２０に対しては、例えば、電子機器１を携帯電話として使用する場合の操作が行われる。
【００５３】
一方、第１の開放位置にある蓋体４が右方へ押圧されると、蓋体４はスライダー２２の被ガイド片２２ｂ、２２ｂがそれぞれスライド部材１４のガイド部１４ｂ、１４ｂに案内されて右方へ移動されていく。蓋体４が所定の位置まで移動されると、第１のトグルバネの付勢方向が変換され、蓋体４が第１のトグルバネによって右方へ付勢される。
【００５４】
右方へ付勢された蓋体４は、図６に示すように、スライダー２２の被ガイド片２２ｂ、２２ｂがそれぞれスライド部材１４のストッパー突部１４ｃ、１４ｃに左方から押し付けられ、蓋体４の右方への移動が停止されて第１の閉塞位置に至る。蓋体４が第１の閉塞位置に至ることにより、第２の操作部２０が閉塞される。
【００５５】
次に、蓋体４及び中間体３の第２の方向における動作について説明する（図９乃至図１４参照）。
【００５６】
蓋体４が第２の閉塞位置にある状態においては、図９に示すように、蓋体４によって中間体３の第２の操作部２０が閉塞されると共に中間体３によってベース体２の第１の操作部７が閉塞されている。第２の閉塞位置においては、蓋体４及び中間体３は図示しない第２のトグルバネによって前方へ付勢され、中間体３における操作板１６の後側の移動規制突部１６ｂがベース体２における支持ベース６の案内突部１２に前方から押し付けられている。
【００５７】
第２の閉塞位置においては、図９及び図１０に示すように、スライダー２２の被規制片２２ａが支持ベース６の案内突部１２の前方に位置され、被規制片２２ａの後面が案内突部１２の直ぐ前側に位置されている。
【００５８】
蓋体４又は中間体３が後方へ押圧されると、蓋体４及び中間体３はスライド部材１４の被ガイド部１４ａ、１４ａがそれぞれ支持ベース６のガイド部材９、９に案内されてベース体２に対して後斜め上方へ円弧運動しながら移動されていく（図１１参照）。このときスライダー２２の被規制片２２ａが、図１２に示すように、支持ベース６の案内突部１２の右側を通り後斜め上方へ移動されていく。従って、蓋体４及び中間体３に左方（第１の方向）へ移動される方向への外力が付与されたとしても、スライダー２２の左方への移動が案内突部１２によって規制され、蓋体４及び中間体３の第２の方向への移動時に、蓋体４及び中間体３の意図しない方向（第１の方向）への移動を防止することができる。このように案内突部１２は蓋体４及び中間体３の第２の方向への移動時に第１の方向への移動を規制する第２の規制部として機能する。
【００５９】
蓋体４及び中間体３が後斜め上方へ円弧運動しながら移動されていくときには、中間体３は連結板１５の被案内突部１９がベース体２における支持突部６の案内突部１２に案内される。
【００６０】
蓋体４及び中間体３が所定の位置まで移動されると、第２のトグルバネの付勢方向が変換され、蓋体４及び中間体３が第２のトグルバネによって後方へ付勢される。
【００６１】
後方へ付勢された蓋体４及び中間体３は、図１３及び図１４に示すように、操作板１６の前側の移動規制突部１６ｂがベース体２における支持ベース６の案内突部１２に前方から押し付けられ、蓋体４及び中間体３の後斜め上方への移動が停止されて第２の開放位置に至る。蓋体４及び中間体３が第２の開放位置に至ることにより、第１の操作部７が開放され、該第１の操作部７に対する操作が可能とされる。
【００６２】
蓋体４及び中間体３が第２の開放位置に至った状態においては、蓋体４に設けられた表示部２１ａが第２の操作部２０に対して１８０°未満の所定の角度α傾斜した状態とされる（図１４参照）。第１の操作部７に対しては、例えば、電子機器１をパーソナルコンピューターとして使用する場合の操作が行われる。
【００６３】
一方、第２の開放位置にある蓋体４及び中間体３が前方へ押圧されると、蓋体４及び中間体３はスライド部材１４の被ガイド部１４ａ、１４ａがそれぞれ支持ベース６のガイド部材９、９に案内されてベース体２に対して前斜め下方へ移動されていく。蓋体４及び中間体３が所定の位置まで移動されると、第２のトグルバネの付勢方向が変換され、蓋体４及び中間体３が第２のトグルバネによって前方へ付勢される。
【００６４】
前方へ付勢された蓋体４及び中間体３は、図９及び図１０に示すように、操作板１６の後側の移動規制突部１６ｂがベース体２における支持ベース６の案内突部１２に後方から押し付けられ、蓋体４及び中間体３の前斜め下方への移動が停止されて第２の閉塞位置に至る。蓋体４及び中間体３が第２の閉塞位置に至ることにより、第１の操作部７が閉塞される。
【００６５】
以上に記載した通り、電子機器１にあっては、中間体３及び表示部２１ａ有する蓋体４が第１の操作部７を有するベース体２に対して円弧方向へスライドされるため、第２の開放位置において表示部２１ａが第１の操作部７に対して所定の角度傾斜した状態とされ、第１の操作部７に対する操作時に表示部２１ａが視認し易く、使い勝手の向上を図ることができる。
【００６６】
また、蓋体４のスライド方向を第１の方向と第２の方向とで変更することができるため、使用用途に応じて第１の操作部７又は第２の操作部２０に対する操作を行うことができ、機能性の向上を図ることができると共に使い勝手の向上を図ることができる。
【００６７】
さらに、電子機器１にあっては、蓋体４を中間体３に対して第１の方向へスライドさせる機構と蓋体４及び中間体３をベース体２に対して第２の方向へスライドさせる機構とが何れも電子機器１の外周面の内側に設けられているため、電子機器１の小型化を図ることができ、また、スライド機構が外部に露出されないためにスライド機構に傷付きや損傷が生じず蓋体４及び中間体３のスライド動作の円滑化を図ることができる。
【００６８】
さらにまた、電子機器１にあっては、蓋体４の第１の方向への移動時に第２の方向への移動を規制する第１の規制部として機能する規制部１３と蓋体４及び中間体３の第２の方向への移動時に第１の方向への移動を規制する第２の規制部として機能する案内突部１２とが同一の部材であるベース部材８に設けられているため、機構の簡素化を図ることができる。
【００６９】
加えて、案内突部１２及び規制部１３がベース部材８に一体に形成されているため、部品点数の削減による製造コストの低減を図ることができる。
【００７０】
尚、上記には、ベース部材８とガイド部材９、９を各別に形成し、両者が結合されることにより支持ベース６が構成される例を示したが、ベース部材とガイド部材を一体に形成して支持ベースを構成するようにしてもよい。この場合には、部品点数の削減を図ることができる。
【００７１】
また、上記には、蓋体４がスライドされる第１の方向を直線方向とし、蓋体４及び中間体３がスライドされる第２の方向を円弧方向とした例を示したが、逆に、蓋体４がスライドされる第１の方向を円弧方向とし、蓋体４及び中間体３がスライドされる第２の方向を直線方向とすることも可能である。
【００７２】
さらに、蓋体４がスライドされる第１の方向と蓋体４及び中間体３がスライドされる第２の方向をともに円弧方向とすることも可能である。
【００７３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７４】
【図１】図２乃至図１４と共に本発明の最良の形態を示すものであり、本図は、電子機器を第１の操作部と第２の操作部が閉塞された状態で示す斜視図である。
【図２】電子機器の分解斜視図である。
【図３】電子機器を蓋体と中間体とベース体に分解した状態で示す斜視図である。
【図４】電子機器を第２の操作部が開放された状態で示す斜視図である。
【図５】電子機器を第１の操作部が開放された状態で示す斜視図である。
【図６】図７乃至図１４と共に電子機器の動作を示すものであり、本図は、蓋体が第１の閉塞位置にある状態を示す概略平面図である。
【図７】蓋体の第２の方向への移動が規制される状態を示す拡大斜視図である。
【図８】蓋体が第１の開放位置にある状態を示す概略平面図である。
【図９】蓋体及び中間体が第２の閉塞位置にある状態を示す概略平面図である。
【図１０】蓋体及び中間体が第２の閉塞位置にある状態を一部を断面にして示す概略側面図である。
【図１１】蓋体及び中間体が第２の方向へ移動されている途中の状態を一部を断面にして示す概略側面図である。
【図１２】蓋体及び中間体の第１の方向への移動が規制される状態を示す拡大斜視図である。
【図１３】蓋体及び中間体が第２の開放位置にある状態を示す概略平面図である。
【図１４】蓋体及び中間体が第２の開放位置にある状態を一部を断面にして示す概略側面図である。
【符号の説明】
【００７５】
１…電子機器、２…ベース体、３…中間体、４…蓋体、６…支持ベース、７…第１の操作部、１２…案内突部（第２の規制部）、１３…規制部（第１の規制部）、１４…スライド部材、２０…第２の操作部、２１ａ…表示部、２２…スライダー
【図１】
2009003614.tif 000003
【図２】
2009003614.tif 000004
【図３】
2009003614.tif 000005
【図４】
2009003614.tif 000006
【図５】
2009003614.tif 000007
【図６】
2009003614.tif 000008
【図７】
2009003614.tif 000009
【図８】
2009003614.tif 000010
【図９】
2009003614.tif 000011
【図１０】
2009003614.tif 000012
【図１１】
2009003614.tif 000013
【図１２】
2009003614.tif 000014
【図１３】
2009003614.tif 000015
【図１４】
2009003614.tif 000016